(57)【要約】【目的】操作パネルが機器本体に回動可能に取り付けられ、しかも確実に盗難が防止される電子機器の操作パネル盗難防止構造を提供する。【構成】操作パネル３を機器本体１に回動可能に装着し、さらに操作パネル３を機器本体に着脱可能とした電子機器において、操作パネル３の側面に回動軸を中心とする円弧状の溝３ｂを設け、溝３ｂ内に挿入される軸１０を機器本体に固定される部材５に取り付け可能とした。【選択図】　　　　図１
2004145917.tif 000002
【特許請求の範囲】
【請求項１】
操作パネルを機器本体に回動可能に装着し、さらに前記操作パネルを機器本体に着脱可能とした電子機器において、前記操作パネルの側面に回動軸を中心とする円弧状の溝を設け、前記溝内に挿入される軸を機器本体に固定される部材に取り付け可能としたを特徴とする電子機器の操作パネル盗難防止構造。
【請求項２】
前記軸は前記操作パネルを回動自在に支持するアームにねじ込まれるねじである請求項１の電子機器の操作パネル盗難防止構造。
【発明の詳細な説明】
【０００１】
【発明の属する技術分野】
この発明は電子機器に係わり、特に、電子機器を店頭に展示しているときに、取り外し可能な操作パネルの盗難を防止する盗難防止構造に関する。
【０００２】
【従来の技術】
従来、車載用音響機器の盗難を防止するために、ドライバーが車を離れるときに操作パネルの部分のみを取外すことができるようにしたものがあった。そのような車載用音響機器の例を図４および図５により説明する。
【０００３】
図に示す操作パネル３は、記録媒体挿入口を開放するために可倒式とし、さらに盗難を防止するために取り外し可能となっている。その機構を説明すると、図に示す機器本体１の前方に取付けられたサブパネル２の左右にアーム４、５が固定されており、アーム４、５には夫々軸６、７が立設されている。操作パネル３の左側面には軸受８が可動状態に埋め込まれ、コイルばね９により突出方向に付勢されている。この軸受８がアーム５の軸７と嵌合し操作パネル３の右側面の凹み３ａはアーム４の軸６と嵌合し操作パネル３は回動自在に支持される。
【０００４】
操作パネル３が回動自在に支持された状態で上方に回動されると、図示していないロック機構によりロックされて、サブパネル２の前面を覆い使用状態となる。前記ロック機構のロックを解除すると、操作パネル３を前方に倒すことができる。
【０００５】
操作パネル３を取り外すときは、操作パネル３を図４に示すように前方に倒した状態で矢印で示すように左方向に押すと、軸受８がアーム５の軸７に押されコイルばね９の弾力に抗して操作パネル３の凹みの奥に移動し、操作パネル３が点線で示す位置に移動して右側面の凹み３ａがアーム４の軸６から外れ操作パネル３を取り外すことができる。
【０００６】
この車載用音響機器を店頭に展示するときは、店頭ディスプレイパネルに機器本体１を嵌め込むが、操作パネル３の盗難を防止するために操作パネル３ににねじ１２をねじ込んで軸受８の移動を阻止していた。
【０００７】
上記した車載用音響機器の操作パネル盗難防止構造では、操作パネル３ににねじ１２をねじ込んで軸受８の移動を阻止した状態でも図５に示すように操作パネル３を矢印で示す前方に無理に引き抜こうとしたときに左右のアーム４、５が変形して矢印で示すように開き操作パネル３が取り外されることがあった。
【０００８】
特開平７−２６７００１号公報および特開平７−２８５３８９号公報に提案された車載用音響機器の操作パネル盗難防止構造では、操作パネルは音響機器本体とパネルロックレバーに係止されて使用状態となり、パネルロックレバーを回動させることにより操作パネルを取り外すことができる。盗難を防止する場合、パネルロックレバーの回動が阻止される。
【０００９】
特開平７−２６７００１号公報および特開平７−２８５３８９号公報に提案された車載用音響機器の操作パネル盗難防止構造は操作パネルは機器本体に対して定位置に取り付けるだけで回動させることはできなかった。
【００１０】
【特許文献１】
特開平７−２６７００１号公報（第２、３頁、図４）
【００１１】
【特許文献２】
特開平７−２８５３８９号公報（第３、４頁、図３）
【００１２】
【発明が解決しようとする課題】
この発明は上記した点に鑑みてなされたものであって、その目的とするところは、操作パネルが機器本体に回動可能に取り付けられ、しかも確実に盗難が防止される電子機器の操作パネル盗難防止構造を提供することである。
【００１３】
【課題を解決するための手段】
この発明の電子機器の操作パネル盗難防止構造は、操作パネルを機器本体に回動可能に装着し、さらに前記操作パネルを機器本体に着脱可能とした電子機器において、前記操作パネルの側面に回動軸を中心とする円弧状の溝を設け、前記溝内に挿入される軸を機器本体に固定される部材に取り付け可能としたものである。
【００１４】
また、前記電子機器の操作パネル盗難防止構造において、前記軸を前記操作パネルを回動自在に支持するアームにねじ込まれるねじとしたものである。
【００１５】
【発明の実施の形態】
この発明の実施例を図面に基づいて説明する。図１にこの発明の第１の実施例である車載用音響機器の操作パネル盗難防止構造を示す。図に示す操作パネル３は従来例で説明した操作パネルと同様に機器本体１の前方に取付けられたサブパネル２の左右に設けられたアーム４、５に夫々立設された軸６、７に回動可能かつ着脱自在に支持される。なお、軸受８は従来例のものと同様に操作パネルに出入自在に取り付けられておりコイルばね９により突出方向に付勢され、アーム５の軸７と嵌合する。
【００１６】
実施例の操作パネル３では図２にも詳しく示すように、アーム５の軸７と嵌合する軸受８の凹み８ａを中心とする円弧状の溝３ｂが設けられている。なお、図２では操作パネル３を水平姿勢と垂直姿勢とで２か所に描いている。
【００１７】
図１に示すように、アーム５にねじ込まれたねじ１０は溝３ｂの中に深さＤの距離だけ入り込む。ねじ１０の先端と溝３ｂの底面との隙間を操作パネル３を外すためのストロークＳより小さくすることで操作パネル３を外せないようにすることができる。
【００１８】
また、ねじ１０の溝３ｂへの挿入深さＤをアーム５の可能撓み量Ａとアーム４の可能撓み量Ｂとの和より大きくすることにより、操作パネル３を無理に引き抜こうとしても外れなくなる。
【００１９】
図３（ａ）はこの発明の第２の実施例である車載用音響機器の操作パネル盗難防止構造の要部を示す分解斜視図、図３（ｂ）は同要部を示す平面図である。この例ではアーム５の穴５ｂにＬ形の軸１１が圧入されてその頭部を回動させてアーム５に固定されたストッパー５ａに当接させる。他の構成は第１の実施例と同様である。
【００２０】
この例では軸１１の頭部は図３（ｂ）に示すようにサブパネル２に覆われるので操作パネルを無理に引き抜こうとしても、軸１１ａがサブパネル２に当接して抜けることがなく、軸１１は第１の実施例のねじ１０と同様の機能を果たす。
【００２１】
【発明の効果】
この発明の電子機器の操作パネル盗難防止構造によれば、操作パネルを回動させることができ、しかも操作パネルを無理に外そうとしても外れなくすることができる。
【図面の簡単な説明】
【図１】この発明の第１の実施例である車載用音響機器の操作パネル盗難防止構造を示す平面図である。
【図２】同操作パネル盗難防止構造の要部を示す分解斜視図である。
【図３】図３（ａ）はこの発明の第２の実施例である車載用音響機器の操作パネル盗難防止構造の要部を示す分解斜視図、図３（ｂ）は同要部を示す平面図である。
【図４】従来の車載用音響機器の操作パネル盗難防止構造の例を一部断面として示す平面図である。
【図５】同操作パネル盗難防止構造の他の状態を示す平面図である。
【符号の説明】
１　機器本体
２　サブパネル
３　操作パネル、３ａ　凹み、３ｂ　溝
４　アーム
５　アーム、５ａ　ストッパー、５ｂ　穴
６　軸
７　軸
８　軸受、８ａ　凹み
９　コイルばね
１０　ねじ
１１　軸
１２　ねじ
【図１】
2004145917.tif 000003
【図２】
2004145917.tif 000004
【図３】
2004145917.tif 000005
【図４】
2004145917.tif 000006
【図５】
2004145917.tif 000007